(57)【要約】      （修正有）【課題】組付け性の向上を図ったベッドを提供する。【解決手段】使用者を支持するボトム３、使用者の頭部側のフレームであるヘッドボード４、右側のフレームである右サイドボード（第１サイドボード）５、左側のフレームである左サイドボード（第２サイドボード）６、使用者の下側のフレームであるフットボード７、ボトム３の右端部を支持する右サイドレール（第１サイドレール）８、ボトム３の左端部を支持する左サイドレール（第２サイドレール）９、及び右サイドレール８と左サイドレール９を介して右サイドボード５と左サイドボード６とを連結する連結部材２を備えているベッド１において、連結部材２の長さを可変とする。【選択図】図１
2016220826.tif 000002
【特許請求の範囲】
【請求項１】
第１サイドボードと、
前記第１サイドボードに対向するように配設される第２サイドボードと、
前記第１サイドボードと前記第２サイドボードとを連結する連結部材と、
を備え、
前記連結部材の長さは可変である
ベッド。
【請求項２】
前記連結部材は、第１連結部材と、第２連結部材と、前記第１連結部材と前記第２連結部材とを伸縮自在に支持する伸縮手段と、を備える請求項１に記載のベッド。
【請求項３】
前記伸縮手段は、前記第１連結部材に配設される第１ネジ部と、前記第２連結部材に配設され、前記第１ネジ部と螺合される第２ネジ部と、を備える請求項２に記載のベッド。
【請求項４】
前記伸縮手段は、前記第１連結部材と前記第２連結部材との間に配設される延長手段を備え、前記延長手段は前記第１ネジ部と螺合される第３ネジ部と、前記第２ネジ部と螺合される第４ネジ部と、を備える請求項３に記載のベッド。
【請求項５】
前記第１サイドボードは、前記第１サイドボードの側面に配設される第１サイドレールを備え、前記第２サイドボードは、前記第２サイドボードの側面に配設される第２サイドレールを備え、使用者を支持するものであって、前記第１サイドレールと前記第２サイドレールとに支持されるボトムと、前記第１サイドボードの一端及び前記第２サイドボードの一端とを連結し、使用者の頭部側に配設されるヘッドボードと、前記第１サイドボードの他端及び前記第２サイドボードの他端とを連結し、前記ヘッドボードに対向するように使用者の足部側に配設されるフットボードと、を備え、前記連結部材は、前記連結部材の一端部が前記第１サイドレールに係合され、前記連結部材の他端部が前記第２サイドレールに係合されることにより、前記第１サイドレール及び前記第２サイドレールを介して、前記第１サイドボードと前記第２サイドボードとを連結する請求項１〜４のいずれかに記載のベッド。
【発明の詳細な説明】
【技術分野】
【０００１】
本発明は、組付け性の向上を図ったベッドに関する。
【背景技術】
【０００２】
特許文献１に開示されるように、従来のベッドにおいては、サイドレールの側面にボトム受桟を設けてボトムを支え、このボトム上に布団やマットレスを載せていた。
【０００３】
そして、サイドレールが反ったりして開くとボトムがズレ落ちるおそれがあるため、サイドレールが開かないようにワイヤーを渡して、サイドレールの開き防止をしていた。
【先行技術文献】
【特許文献】
【０００４】
【特許文献１】特開２００４−８７５９号  公報
【発明の概要】
【発明が解決しようとする課題】
【０００５】
しかしながら、例えば木製のベッドにおいては、使用材料が木材であるため、サイドレールの開き防止用ワイヤーを設置する時に、サイドレールにベッドの幅方向への反りが生じている場合がある。
【０００６】
ワイヤーはサイドボードに反りがない状態で設置することを前提に形成されているため、サイドレールに反りが生じた場合にはサイドレール間にワイヤーをうまく設置できない場合がある。
【０００７】
そこで本発明は、上記の点に鑑みてなされたものであり、組付け性の向上を図ったベッドを提供することを課題とする。
【課題を解決するための手段】
【０００８】
前記課題を解決するために講じられた第１の技術的手段は、ベッドであって、第１サイドボードと、第１サイドボードに対向するように配設される第２サイドボードと、第１サイドボードと第２サイドボードとを連結する連結部材と、を備え、連結部材の長さは可変であるとすることである。
【０００９】
第２の技術的手段は、第１の技術的手段において、連結部材は、第１連結部材と、第２連結部材と、第１連結部材と第２連結部材とを伸縮自在に支持する伸縮手段と、を備えることである。
【００１０】
第３の技術的手段は、第２の技術的手段において、伸縮手段は、第１連結部材に配設される第１ネジ部と、第２連結部材に配設され、第１ネジ部と螺合される第２ネジ部と、を備えることである。
【００１１】
第４の技術的手段は、第３の技術的手段において、伸縮手段は、第１連結部材と第２連結部材との間に配設される延長手段を備え、延長手段は第１ネジ部と螺合される第３ネジ部と、第２ネジ部と螺合される第４ネジ部と、を備えることである。
【００１２】
第５の技術的手段は、第１の技術的手段〜第４の技術的手段のいずれかにおいて、第１サイドボードは、第１サイドボードの側面に配設される第１サイドレールを備え、第２サイドボードは、第２サイドボードの側面に配設される第２サイドレールを備え、使用者を支持するものであって、第１サイドレールと第２サイドレールとに支持されるボトムと、第１サイドボードの一端及び第２サイドボードの一端とを連結し、使用者の頭部側に配設されるヘッドボードと、第１サイドボードの他端及び第２サイドボードの他端とを連結し、ヘッドボードに対向するよう、使用者の足部側に配設されるフットボードと、を備え、連結部材は、連結部材の一端部が第１サイドレールに係合され、連結部材の他端部が第２サイドレールに係合されることにより、第１サイドレール及び第２サイドレールを介して、第１サイドボードと第２サイドボードとを連結することである。
【発明の効果】
【００１３】
本発明によれば、組付け性の向上を図ったベッドを提供することができる。
【図面の簡単な説明】
【００１４】
【図１】実施形態１に係る連結部材が設けられたベッドの概略を示す斜視図である。
【図２】実施形態１に係る連結部材を示す斜視図である。
【図３】実施形態１に係る連結部材の長さを変化させた状態を示す概略図である。
【図４】実施形態２に係る連結部材が設けられたベッドの概略を示す概略図である。
【図５】実施形態２に係る連結部材を示す斜視図である。
【図６】実施形態２に係る連結部材の長さを変化させた状態を示す概略図である。
【図７】延長部材の長さを変化させた状態を示す概略図である。
【図８】実施形態２の変形例に係る連結部材が設けられたベッドの概略を示す斜視図である。
【発明を実施するための形態】
【００１５】
以下、本発明のベッドについて、図に基づいて説明する。なお、ベッドにおける前後左右上下の方向は、各図に示すとおりである。これらの方向は、使用者がベッドに仰向けで就寝する状態で見た方向と一致するものとする。なお、使用者は、後述するヘッドボード側が使用者の頭部側となる状態でベッドを使用する。
【００１６】
（実施形態１）
本発明の実施形態１に係るベッド１について、図１〜図３を用いて説明する。実施形態１では、木製のベッド１に連結部材２を設けた具体例にて説明する。
【００１７】
図１は、本発明の実施形態１におけるベッド１の概要を示す斜視図である。ベッド１は、使用者を支持するボトム３、使用者がベッド１に仰向けで就寝する状態における使用者の頭部側のフレーム、すなわち上側のフレームであるヘッドボード４、右側のフレームである右サイドボード（第１サイドボード）５、左側のフレームである左サイドボード（第２サイドボード）６、使用者がベッド１に仰向けで就寝する状態における使用者の足部側のフレーム、すなわち下側のフレームであるフットボード７、ボトム３の右端部を支持する右サイドレール（第１サイドレール）８、ボトム３の左端部を支持する左サイドレール（第２サイドレール）９、及び右サイドレール８と左サイドレール９を介して右サイドボード５と左サイドボード６とを連結する連結部材２を備えている。
【００１８】
ボトム３は、使用者を支持する床板であり、木製の板に複数の桟が架設されている。実施形態１ではボトム３は２つ備えられている。また、ボトム３の形状は前面視が長方形である。使用者は、ボトム３の前面にマットレスや敷き布団等を敷いて使用する。
【００１９】
ヘッドボード４は、ベッド１の上側に配設されるフレームである。ヘッドボード４は板状であり、木製である。また、ヘッドボード４の上面視は長方形となっている。
【００２０】
右サイドボード５は、ベッド１の右側に配設されるフレームである。右サイドボード５は板状であり、木製である。また、右サイドボード５の右面視は長方形である。図１に示すように、ヘッドボード４の右端部及び右サイドボード５の上端（第１サイドボードの一端）部は、Ｌ字形状金具１０とボルト（図略）によって連結されている。
【００２１】
左サイドボード６は、ベッド１の左側に配設されるフレームである。左サイドボード６は板状であり、木製である。左サイドボード６の左面視は長方形となっている。図１に示すように、ヘッドボード４の左端部及び左サイドボード６の上端（第２サイドボードの一端）部は、Ｌ字形状金具１０とボルト（図略）によって連結されている。
【００２２】
フットボード７は、ベッド１の下側に配設されるフレームである。フットボード７は板状であり、木製である。フットボード７の下面視は長方形である。図１に示すように、フットボード７の右端部及び右サイドボード５の下端（第１サイドボードの他端）部は、Ｌ字形状金具１０とボルト（図略）によって連結されている。また、フットボード７の左端部及び左サイドボード６の下端（第２サイドボードの他端）部は、Ｌ字形状金具１０とボルト（図略）によって連結されている。
【００２３】
右サイドレール８は、角材のレールであり、木製である。右サイドレール８は、右サイドボード５の内側面（左側面）に接着剤及び木ネジ（図略）で固定され、前述のボトム３の右端部を支持している。また、右サイドレール８は、右サイドレール８の長手方向の中央部には、前後方向に貫通し、後述する連結部材の一端部１１を挿入する貫通孔である第１貫通孔１２が設けられている。
【００２４】
左サイドレール９は、角材のレールであり、木製である。左サイドレール９は、左サイドボード６の内側面（右側面）に接着剤及び木ネジ（図略）で固定され、前述のボトム３の左端部を支持している。また、左サイドレール９の長手方向の中央部には、前後方向に貫通し、後述する連結部材の他端部１３を挿入する貫通孔である第２貫通孔１４が設けられている。
【００２５】
図２の連結部材２は、第１連結部材１５及び第２連結部材１６を備えている。連結部材２は、後述する第１ネジ部（伸縮手段）１７及び後述する第２ネジ部（伸縮手段）１８が螺合されることにより、一体となっている。連結部材２は、図１に示すように、右サイドレール８及び左サイドレール９を介して、右サイドボード５及び左サイドボード６を連結している。
【００２６】
図２の第１連結部材１５は鉄製であり、第１連結部材１５の直径は４ｍｍである。また、第１連結部材１５の直径方向の断面は円形である。第１連結部材１５の右端部、すなわち連結部材の一端部１１は、Ｌ字形状になっている。第１連結部材１５の左端部には、雄ネジである第１ネジ部１７が設けられている。実施形態１において、第１ネジ部１７のネジ長さは５０ｍｍである。
【００２７】
第２連結部材１６は鉄製であり、第２連結部材１６の直径は４ｍｍである。また、第２連結部材１６の直径方向の断面は円形である。第２連結部材１６の左端部、すなわち連結部材の他端部１３は、Ｌ字形状になっている。第２連結部材１６の右端部には、第１ネジ部１７が螺合される雌ネジである第２ネジ部１８が設けられている。実施形態１において、第２ネジ部１８のネジ長さは５０ｍｍである。
【００２８】
ここで、実施形態１の連結部材２の左右方向の寸法、すなわち連結部材２の長さについて、図３に基づいて詳細に説明する。
【００２９】
まず、図３の（ａ）に示す連結部材２は、第１連結部材１５の第１ネジ部１７と第２連結部材１６の第２ネジ部１８が螺合していない状態である。
【００３０】
また、図３の（ｂ）は、第１ネジ部１７と第２ネジ部１８とを２５ｍｍ螺合させた状態である。
【００３１】
また、図３の（ｃ）は、第１ネジ部１７と第２ネジ部１８とを５０ｍｍ螺合させた状態、すなわち第１ネジ部１７と第２ネジ部１８を全て螺合させた状態である。この状態の時に連結部材２の長さは最短となる。
【００３２】
また、図３の（ｄ）は、第１ネジ部１７と第２ネジ部１８とを１０ｍｍ螺合させた状態である。この状態の時、連結部材２の長さは、図３の（ｂ）の状態よりも１５ｍｍ長くなっている。
【００３３】
このようにして、第１ネジ部１７と第２ネジ部１８が螺合している長さを変化させることで連結部材２の長さを変化させることができる。
【００３４】
連結部材２の長さを変化させることで、例えば、連結部材の一端部１１を挿入する図１の第１貫通孔１２と図３の連結部材の他端部１３を挿入する図１の第２貫通孔１４との間隔が図３の（ｂ）の連結部材２の長さと同じ場合には、連結部材２を図３の（ｂ）の状態とすることで、図１の第１貫通孔１２へ図３の（ｂ）の連結部材の一端部１１を挿入すること及び図１の第２貫通孔１４へ図３の（ｂ）の連結部材の他端部１３を挿入することが可能となる。
【００３５】
しかし、図１の第１貫通孔１２と第２貫通孔１４との間隔が、図３の（ｄ）の連結部材２の長さと同じ場合には、連結部材２を図３の（ｂ）から図３の（ｄ）の状態とすることで、図１の第１貫通孔１２へ図３の（ｄ）の連結部材の一端部１１を挿入すること及び図１の第２貫通孔１４へ図３の（ｄ）の連結部材の他端部１３を挿入することが可能となる。
【００３６】
実施形態１においては、連結部材の一端部１１は第１貫通孔１２へ挿入され、連結部材の他端部１３は第２貫通孔１４へ挿入されている。しかしながら、一端部１１と他端部１３は同じ形状であるため、一端部１１を第２貫通孔１４へ挿入し、他端部１３を第１貫通孔１２へ挿入することもできる。
【００３７】
このような構成のベッド１とすると、以下のような作用効果を有する。
【００３８】
右サイドボード５や左サイドボード６の反り、又は製造上のばらつき、等の要因で、第１貫通孔１２と第２貫通孔１４との間隔が長い状態、又は短い状態であっても連結部材２の長さが可変であるため、第１貫通孔１２及び第２貫通孔１４に連結部材２を挿入することができる。したがって、連結部材２のベッド１への組付け性向上を図ったベッド１を提供することができる。
【００３９】
連結部材２がベッド１に設置できないとサイドレール等の反りが進み、サイドレール間の開きが更に大きくなり、場合によっては、右サイドレール８及び左サイドレール９によるボトム３の支持ができなくなり、ボトム３が落下する可能性がある。しかしながら、連結部材２を伸縮可能としたことにより、右サイドボード５や左サイドボード６に反りが生じた場合でも連結部材２を設置することができるため、右サイドボード５や左サイドボード６の更なる反りの進行を抑制でき、ひいては、右サイドボード５や左サイドボード６の反りの進行に伴い生じるボトム３の落下をも抑制することができる。
【００４０】
従来のベッドにおいて、例えば両サイドボードがベッドの内側に向けて反る場合には、ワイヤーをベッドに取り付けできないか、或いは、ワイヤーをベッドに取り付けることができたとしてもワイヤーが湾曲してしまい、ボトムをベッドに設置することができないか、ワイヤーの湾曲部がボトムと接触して音が発生する場合がある。
【００４１】
しかしながら、本実施の形態のベッド１によれば、連結部材２が伸縮自在とされていることにより、例えば右サイドボード５や左サイドボード６、ひいては右サイドレール８や左サイドレール９がベッドの内側に向けて反る場合には、連結部材２を短くすることにより、連結部材２を容易にベッド１に組み付けることができる。またその際に、連結部材２が湾曲することはないため、ボトム３を確実にベッド１に設置でき、また、連結部材２の湾曲部がボトムと接触することにより音が生じることはない。
【００４２】
また、連結部材２は、第１連結部材１５と、第２連結部１６と、第１連結部材１５と第２連結部材１６との間に伸縮手段である第１ネジ部１７、第２ネジ部１８とを備えることにより、連結部材２の一部を伸縮手段とする簡素な構成によって連結部材２の長さを可変とすることができる。
【００４３】
また、図２に示すように、連結部材２は、第１連結部材１５、第２連結部材１６及び第１ネジ部１７と第２ネジ部１８の螺合による伸縮機能を備えることによって、簡素な構成で右サイドボード５と左サイドボード６とを連結することができる。
【００４４】
また、図３に示すように、第１ネジ部１７及び第２ネジ部１８が螺合している長さを変更することによって、連結部材２の長さを容易に変更できる。
【００４５】
また、図１の第１貫通孔１２及び第２貫通孔１４に連結部材２を挿入する（係合する）という簡素な構成でもって、連結部材２をベッド１に容易に組み付けることができる。
【００４６】
また、連結部材２をベッド１に取り付けることによって、右サイドレール８及び左サイドレール９を介して右サイドボード５と左サイドボード６とを連結するため、右サイドボード５及び左サイドボード６の反りが抑制される。ひいては、右サイドレール８及び左サイドレール９によるボトム３の支持をより確実なものとでき、ボトム３の落下を抑制することができる。
【００４７】
（実施形態２）
次に、実施形態２に係るベッド１について図４〜図６に基づいて説明する。実施形態２については、図４に示すように、第１連結部材１５と第２連結部材１６との間に後述する延長部材（延長手段）１９が設けられている点が実施形態１と異なるだけであるため、実施形態１からの変更点のみを説明し、同様の部分については説明を省略する。また、同様の部品については同じ符号を付して説明する。
【００４８】
さらに、実施形態１で説明した各部品の寸法等は、必要に応じて他の寸法とすることも可能である。したがって、実施形態２では、一例として、連結部材２の一部の寸法を変更して説明する。
【００４９】
図４に示すように、連結部材２は、第１連結部材１５、第２連結部材１６及び延長部材１９を備えている。連結部材２は、右サイドレール８及び左サイドレール９を介して、右サイドボード５及び左サイドボード６を連結している。
【００５０】
また、図５に示すように、第１連結部材１５は雄ネジである第１ネジ部１７を備えている。また、第２連結部材１６は雌ネジである第２ネジ部１８を備えている。また、延長部材１９は雌ネジである第３ネジ部(延長手段)２０、及び雄ネジである第４ネジ部（延長手段）２１を備えている。
【００５１】
第１ネジ部１７は第３ネジ部２０と螺合され、第２ネジ部１８は第４ネジ部２１と螺合されている。
【００５２】
第１連結部材１５は鉄製であり、直径は５ｍｍである。第１連結部材１５の右端部、すなわち連結部材の一端部１１は、Ｌ字形状になっている。第１連結部材１５の左端部は、雄ネジである第１ネジ部１７が設けられている。実施形態２において、第１ネジ部１７のネジ長さは３０ｍｍである。
【００５３】
第２連結部材１６は鉄製の棒であり、棒の外径は５ｍｍである。第２連結部材１６の左端部、すなわち連結部材の他端部１３は、Ｌ字形状になっている。第２連結部材１６の右端部は、雌ネジである第２ネジ部１８が設けられており、実施形態２において、第２ネジ部１８のネジ長さは３０ｍｍである。
【００５４】
延長部材１９は鉄製であり、直径は５ｍｍである。延長部材１９の右端部に設けられた第３ネジ部２０は、雌ネジであり、ネジ長さは３０ｍｍである。第３ネジ部２０は、第１ネジ部１７の雄ネジと螺合される。また、延長部材１９の左端部に設けられた第４ネジ部２１は、雄ネジであり、ネジ長さは３０ｍｍである。第４ネジ部２１は、第２ネジ部１８の雌ネジと螺合される。
【００５５】
ここで、図４に示す実施形態２の連結部材２の長さについて、図６に基づいて詳細に説明する。まず、図６の（ａ）に示す連結部材２は、第１連結部材１５の第１ネジ部１７と延長部材１９の第３ネジ部２０が螺合していない状態である。さらに、第２連結部材１６の第２ネジ部１８と延長部材１９の第４ネジ部２１が螺合していない状態である。
【００５６】
図６の（ｂ）は、図６の（ａ）の状態から図６の（ｂ）の第１ネジ部１７と第３ネジ部２０とを３０ｍｍ螺合させ、さらに第２ネジ部１８と第４ネジ部２１とを３０ｍｍ螺合させた状態である。この状態の時に、連結部材２の長さは、最短となる。
【００５７】
また、図６の（ｃ）は、図６の（ａ）の状態から図６の（ｃ）の第１ネジ部１７と第３ネジ部２０とを１５ｍｍ螺合させ、さらに第２ネジ部１８と第４ネジ部２１とを１５ｍｍ螺合させた状態である。したがって、連結部材２の長さは、図６の（ｂ）の状態よりも３０ｍｍ長くなっている。
【００５８】
このようにして、図６の第１ネジ部１７と第３ネジ部２０、及び第２ネジ部１８と第４ネジ部２１が螺合している長さを変化させることで連結部材２の長さを変化させている。
【００５９】
連結部材２の長さを変化させることで、例えば、連結部材の一端部１１を挿入する図４の第１貫通孔１２と図６の連結部材の他端部１３を挿入する図４の第２貫通孔１４との間隔が、図６の（ｂ）の連結部材２の長さの場合は、連結部材２を図３の（ｂ）の状態としてから図４の第１貫通孔１２と第２貫通孔１４へ図６の（ｂ）の連結部材２を挿入することが可能となる。
【００６０】
図４に示す、このような構成のベッド１とすると、以下のような作用効果を有する。
【００６１】
右サイドボード５や左サイドボード６に反りが生じる等の要因で、第１貫通孔１２と第２貫通孔１４との間隔が長く、又は短くなった場合においても図６の第１ネジ部１７と第３ネジ部２０の螺合している長さ、及び第２ネジ部１８と第４ネジ部２１の螺合している長さを変化させることで連結部材２の長さが可変であるため、図４の第１貫通孔１２及び第２貫通孔１４に図６の連結部材２を挿入することができる。したがって、連結部材２のベッド１への組付け性の向上を図ったベッド１を提供することができる。
【００６２】
図４に示すように、第１連結部材１５と第２連結部材１６との間に延長部材１９を設けることで、ベッド１の左右方向の長さ、すなわちベッド１の幅方向の長さが異なるベッド１においても、第１連結部材１５と第２連結部材１６を変更することなく、長さが異なる延長部材１９を用いることでベッド１の幅方向の長さが異なるベッド１においても連結部材２を使用することが可能となる。したがって、それぞれのベッド専用の連結部材２を作成する必要がなくなり、コストの低減を図ることができる。
【００６３】
（変形例）
次に、図７に示すように、実施形態２に係るベッド１の変形例について、図７及び図８に基づいて説明する。変形例については、衣類等の物を収納することが可能な引出しである第１収納部２２及び第２収納部２３が設けられている点、及び延長部材１９の長さが実施形態２より短い点が実施形態２と異なるだけであるため、実施形態２からの変更点のみを説明し、同様の部分については説明を省略する。また、同様の部品については同じ符号を付して説明する。
【００６４】
図７に示す変形例のベッド１において、ベッド１の右側部分に物を収納することが可能な引出しである第１収納部２２及び第２収納部２３が設けられている。第１収納部２２及び第２収納部２３が備えられることによって、第１貫通孔１２及び第２貫通孔１４との間隔が実施形態１及び実施形態２のベッド１よりも短くなっている。
【００６５】
第１貫通孔１２及び第２貫通孔１４との間隔が短くなっているため、変形例においては、図８の（ａ）に示す連結部材２を使用している。図８の（ａ）の延長部材は実施形態２で使用した延長部材よりも短いため、連結部材２は、実施形態２の連結部材２よりも短くなっている。
【００６６】
また、延長部材１９は、図８の（ａ）〜（ｃ）に示すように、延長部材１９の長さを必要に応じて変えることが可能である。例えば、図８の（ａ）のように延長部材１９の長さが短いもの、図８の（ｂ）のように延長部材１９の長さが長いもの、図８の（ｃ）のように延長部材１９の長さが図８の（ａ）と図８の（ｂ）の中間のもの等とすることができる。なお、実施形態２においては、図８の（ｂ）に示す延長部材１９を使用した。
【００６７】
（その他）
実施形態１、実施形態２及び変形例において、連結部材２は、右サイドレール８及び左サイドレール９を介して、右サイドボード５及び左サイドボード６に連結されているが、連結部材２は、右サイドボード５及び左サイドボード６に直接連結される構成としてもよい。
【００６８】
また、右サイドレール８及び左サイドレール９を連結する連結部材２は、１箇所ではなく、複数の箇所に設けてもよい。
【００６９】
また、第１連結部材１５及び第２連結部材１６の直径は、実施形態１の４ｍｍや実施形態２及び変形例の５ｍｍのように、３．５ｍｍ〜５ｍｍとするとよい。しかし、必要に応じて他の値としてもよい。さらに、第１連結部材１５及び第２連結部材１６の直径はそれぞれ異なっていてもよい。
【００７０】
また、連結部材の一端部１１及び連結部材の他端部１３は、Ｌ字形状となっているが、右サイドレール８及び左サイドレール９を連結することが可能であれば、連結部材の一端部１１及び連結部材の他端部１３の形状は、他の形状でもよい。
【００７１】
また、第１連結部材１５には雄ネジ、第２連結部材１６には雌ネジを設けたが、第１連結部材１５には雌ネジ、第２連結部材１６には雄ネジを設ける等としてネジの組合せを変更してもよい。
【００７２】
また、連結部材２が延長部材１９を備える場合に、延長部材１９の第３ネジ部２０及び第４ネジ部２１には雄ネジ、連結部材２の第１ネジ部１７及び第２ネジ部１８には雌ネジを備えるとしてもよいし、延長部材１９の第３ネジ部２０及び第４ネジ部２１には雌ネジ、連結部材２の第１ネジ部１７及び第２ネジ部１８には雄ネジを備えるとしてもよい。
【００７３】
また、ヘッドボード４には、物を置くことが可能である棚や照明装置や電源供給源となるコンセント等が設けられていてもよい。
【００７４】
また、連結部材２及び延長部材１９に設けられた雄ネジ及び雌ネジのネジ長さは、他の長さとしてもよい。
【００７５】
また、第１ネジ部１７、第２ネジ部１８、第３ネジ部２０及び第４ネジ部２１の径の値は、必要に応じて設定してよい。
【００７６】
また、連結部材２には、長さを可変する機構、例えば、ゴム、バネ、ワイヤーや紐を巻き取ることで長さを可変する装置、送りネジ機構を備える長さ調節装置、等を用いてもよい。
【００７７】
また、実施形態２及び変形例において、延長部材１９は１つとしているが、複数の延長部材１９を連結させてもよい。
【００７８】
また、第１連結部材１５、第２連結部材１６及び延長部材１９は鉄製としているが、アルミニウムやステンレスやスチール等の他の金属でもよいし、樹脂製や木製でもよい。また、第１連結部材１５、第２連結部材１６及び延長部材１９は、中空のパイプとしてもよい。さらに、第１連結部材１５、第２連結部材１６及び延長部材１９は、断面形状が円形ではなく、四角形などの多角形や他の形状でもよい。
【００７９】
また、ボトム３、ヘッドボード４、右サイドボード５、左サイドボード６、フットボード７、右サイドレール８及び左サイドレール９は木製ではなく、鉄やステンレスやスチール等の金属であってもよい。
【００８０】
また、右サイドレール８及び左サイドレール９の固定は、接着剤及び木ネジで固定しているが、どちらか一方だけで固定してもよい。さらに、木ネジではなく、タッピングネジやボルトや金属製のネジでもよい。
【００８１】
また、ボトム３は簀子板としてもよい。さらに、ボトム３は、２つではなく、１つでもよいし、３つ以上の複数に分割されていてもよい。
【００８２】
このように、上記した実施の形態で述べた具体的構成は、本発明の一例を示したものにすぎず、本発明はそのような具体的構成に限定されることなく、本発明の主旨を逸脱しない範囲で種々の態様を採り得るものである。
【符号の説明】
【００８３】
５…右サイドボード（第１サイドボード）
６…左サイドボード（第２サイドボード）
２…連結部材
１…ベッド
１５…第１連結部材
１６…第２連結部材
１７…第１ネジ部（伸縮手段）
１８…第２ネジ部（伸縮手段）
１９…延長部材（延長手段）
２０…第３ネジ部（延長手段）
２１…第４ネジ部（延長手段）
８…右サイドレール（第１サイドレール）
９…左サイドレール（第２サイドレール）
３…ボトム
４…ヘッドボード
７…フットボード
【図１】
2016220826.tif 000003
【図２】
2016220826.tif 000004
【図３】
2016220826.tif 000005
【図４】
2016220826.tif 000006
【図５】
2016220826.tif 000007
【図６】
2016220826.tif 000008
【図７】
2016220826.tif 000009
【図８】
2016220826.tif 000010